(57)【要約】      （修正有）【課題】薪を燃やして焚き火をすることが可能であるとともに、容易に適温の温水も安定して生成することが可能な焚き火台を提供する。【解決手段】灰受けトレイ１２００の上面に配置された通水用の配管１１００と、配管への通水量を調整するためのバルブ１３００と、配管で加温されたお湯を吐出するための吐出口１４００を、を備え、バルブは配管の上流側に配置される。【選択図】図１
0003235511.tif 000002
【実用新案登録請求の範囲】
【請求項１】
灰受けトレイの上面に配置された通水用の配管と、
前記配管へ連接されて前記配管への通水量を調整するために、外部に露出して配置されたバルブと、
前記配管で加温されたお湯を外部へ吐出するための吐出口とを、備え、
前記バルブは前記配管の上流側に配置される
ことを特徴とする温水生成可能な焚き火台。
【請求項２】
請求項１に記載の焚き火台において、
前記灰受けトレイは前記配管と前記バルブと前記吐出口とを一体不可分に備えるものであり、
前記灰受けトレイは、前記配管と前記バルブと前記吐出口とを備えない灰受けトレイと任意に交換差替え可能に構成される
ことを特徴とする焚き火台。
【請求項３】
請求項１または請求項２に記載の焚き火台において、
前記焚き火台は二次燃焼により煙を低減させるように、二重側壁間の内部空間を下方から上方へと空気を流して、前記上方において前記内部空間で温められた空気を煙側へと供給するための少なくとも上下一対の空気口を側壁に備える
ことを特徴とする焚き火台。
【請求項４】
請求項１乃至請求項３のいずれか一項に記載の焚き火台において、
通水用の前記配管は、前記灰受けトレイの上面かつ前記焚き火台の内部空間の底面に配置される
ことを特徴とする焚き火台。
【請求項５】
請求項１乃至請求項４のいずれか一項に記載の焚き火台において、
前記配管は、前記灰受けトレイの上面において前記上面に平行な面内で連続したＳ字状に曲げられて、少なくとも１１個の曲線部を備える
ことを特徴とする焚き火台。
【請求項６】
請求項１乃至請求項５のいずれか一項に記載の焚き火台において、
前記バルブは耐熱ボールバルブであり、そのハンドル部分には革カバーが装着される
ことを特徴とする焚き火台。
【請求項７】
請求項１乃至請求項６のいずれか一項に記載の焚き火台において、
前記配管は、焚き火台の炎に直接に接しない前記焚き火台の内部空間に位置する
ことを特徴とする焚き火台。
【請求項８】
請求項１乃至請求項７のいずれか一項に記載の焚き火台において、
前記バルブから前記配管への水の導入口と、前記配管から前記吐出口への水の導出口と、は共に、前記灰受けトレイを前記焚き火台へ脱着する場合の手前側に配置される
ことを特徴とする焚き火台。
【請求項９】
請求項１乃至請求項８のいずれか一項に記載の焚き火台において、
前記配管はＳ字状であって、大きな波と小さな波とが交互になるように配置され、大きな波部分は前記灰受けトレイの外側面に近い位置まできて曲げられており、小さな波部分は前記大きな波部分よりも中央付近において曲げられる
ことを特徴とする焚き火台。
【請求項１０】
灰を受ける皿上面に、複数の平面Ｓ字状に曲げて配置された通水用の配管と、
前記配管へ連接されて前記配管への通水量を調整するために、外部に露出して配置された耐熱ボールバルブと、
前記配管で加温されたお湯を外部へ吐出するための吐出口とを、備える
ことを特徴とする焚き火台の灰受けトレイ。
【請求項１１】
請求項１０の灰受けトレイにおいて、
前記配管は灰を受ける前記皿上面に、溶接により固定止めされる
ことを特徴とする焚き火台の灰受けトレイ。
【考案の詳細な説明】
【技術分野】
【０００１】
本考案は、キャンプ場や被災地の避難所等で使用可能な温水生成可能な焚き火台に関する。
【背景技術】
【０００２】
従来、キャンプや種々のアウトドアそして時には被災地の避難所等において使用される焚き火台は、その軽量性や持ち運びのし易さやコンパクトで小型であることを目標として開発され改良されてきた。主としてアウトドアで使用されるという製品の特性上、他の荷物や用品とともに、設営場所まで時には山や谷や川を乗り越えて持ち運ばなければならないからである。例えば、下記特許文献１には、災害、又は緊急時の暖房兼調理用の火鉢の発明が開示されている。この文献によれば以下のような記載がある。
【０００３】
すなわち、『周知の如く、地震、津波、その他の事故等の災害・緊急等時に、災害者の生活の糧・生命存続のためには、食べ物と飲料水を始め、冬期の暖房も不可欠である。現実には、これらの手当てが十分でない。食べ物の煮炊きが可能で、かつ冬期の暖房、或いは体のケアに有益な風呂等の手当てができる設備、大型の湯沸かし道具、調理用の火力源等が必要となる。これらの手当てが可能となれば、当座の最低限の生活と、心のケアにも有効と考えられる。
【０００４】
本発明は、火鉢の上部に、火炎開口部と、火炎開口部を囲繞する載せ部を形成し、載せ部は上面より一段下り、載せ部に、ドラム缶、やかんの流体収容具、又はフライパン、鍋の調理器具を載架する構成であり、載せ部と、火鉢の底部とで燃焼室を形成し、燃焼室に火格子と、灰受け皿を設け、燃焼室を開閉する蓋を、火鉢の一面に設け、火鉢は、レンガ、ブロックで支持される構成とした災害、又は緊急時の暖房兼調理用の火鉢である。』と記載されている。
【先行技術文献】
【特許文献】
【０００５】
【特許文献１】特開２０１２−２３７５１４号公報
【考案の概要】
【考案が解決しようとする課題】
【０００６】
従来、キャンプ場等のアウトドアにおいて焚き火をする場合には、まず第一には暖を取ることが主目的ではあるものの、同時に暖かい飲み物や液体であって特に温水が必要とされる場面が多分にあった。寒い冬や寒冷地帯のアウトドアシーンにおいての洗い物、洗濯、洗顔、温浴のことである。このような場合には、薪等を燃やしている火の上方にヤカンや鍋等を配置して水を沸かして湯を生成する等していた。
【０００７】
しかし、ヤカンや鍋で沸かされたお湯は一般には沸騰しており、適温にする等の温度の調整が困難であるとともに、焚き火台の上に鍋等を配置するためのアームやフレーム等の支持構造が別途に必要となる。
【０００８】
さらには、鍋等に収容可能な水の量は一定量で限られており、継続的に湯を使うためには使用量に応じて随時に水の継ぎ足し補充も必要となり、補充しなかった場合は空焚きによる危険も多分にあった。そしてお湯の利用時には鍋等を一旦焚き火台上方から、火力の影響が少なく熱くない場所まで移動させて運ぶ必要があった。
【０００９】
本考案は、このような問題点に鑑み為されたものであり、薪を燃やして焚き火をすることが可能であるとともに、容易に適温の温水も安定して生成することが可能な焚き火台を提案することを目的とする。好ましくは、この焚き火台は二次燃焼により煙の生成を少なくする二次燃焼焚き火台であり、被災地などで煙が好まれない状況下においても、安定した温水生成と燃焼効率よく高火力な暖を取ることが可能となる。また好ましくは、お湯を必要としない場合には通常の焚き火台として使用でき、必要な場合のみお湯生成ユニットを差替えセット可能な焚き火台を提案することを目的とする。
【課題を解決するための手段】
【００１０】
本考案の焚き火台は温水生成が可能であって、灰受けトレイの上面に配置された通水用の配管と、配管へ連接されて配管への通水量を調整するために、外部に露出して配置されたバルブと、配管で加温されたお湯を外部へ吐出するための吐出口とを、備えることを特徴とする。また、バルブの配置位置は加熱される配管より水源側（上流側）に設置することで、水の逆流を防くことができる。一般水道管のように吐出口側（いわゆる蛇口）に設置をすると、配管から上流側へと熱水の逆流が起こり、非常に危険な状態を招来する場合が懸念されるが、配管の上流側にバルブを配置することでこのような事態を回避できるものとなる。
【００１１】
また、本考案の焚き火台は好ましくは、灰受けトレイが配管とバルブと吐出口とを一体不可分に備えるものであり、灰受けトレイは、配管とバルブと吐出口とを備えない灰受けトレイと任意に交換差替え可能に構成されることを特徴とする。
【００１２】
また、本考案の焚き火台はさらに好ましくは、焚き火台が二次燃焼により煙を低減させるように、二重側壁間の内部空間を下方から上方へと空気を流して、上方において内部空間で温められた空気を煙側へと供給するための少なくとも上下一対の空気口を側壁に備えることを特徴とする。
【００１３】
また、本考案の焚き火台はさらに好ましくは、通水用の配管が、灰受けトレイの上面かつ焚き火台の内部空間の底面に配置されることを特徴とする。
【００１４】
また、本考案の焚き火台はさらに好ましくは、配管が、灰受けトレイの上面において上面に平行な面内で連続したＳ字状に曲げられて、少なくとも１１個の曲線部を備えることを特徴とする。
【００１５】
また、本考案の焚き火台はさらに好ましくは、バルブが耐熱ボールバルブであり、そのハンドル部分には革カバーが装着されることを特徴とする。
【００１６】
また、本考案の焚き火台はさらに好ましくは、配管が、焚き火台の炎に直接に接しない焚き火台の内部空間に位置することを特徴とする。
【００１７】
また、本考案の焚き火台はさらに好ましくは、バルブから配管への水の導入口と、配管から吐出口への水の導出口と、は共に、灰受けトレイを焚き火台へ脱着する場合の手前側に配置されることを特徴とする。
【００１８】
また、本考案の焚き火台はさらに好ましくは、配管はＳ字状であって、大きな波と小さな波とが交互になるように配置され、大きな波部分は灰受けトレイの外側面に近い位置まできて曲げられており、小さな波部分は大きな波部分よりも中央付近において曲げられることを特徴とする。
【００１９】
また、本考案の焚き火台の灰受けトレイは、灰を受ける皿上面に、複数の平面Ｓ字状に曲げて配置された通水用の配管と、配管へ連接されて配管への通水量を調整するために、外部に露出して配置された耐熱ボールバルブと、配管で加温されたお湯を外部へ吐出するための吐出口とを、備えることを特徴とする。
【００２０】
また、本考案の焚き火台の灰受けトレイは好ましくは、配管が灰を受ける皿上面に、溶接により固定止めされることを特徴とする。
【考案の効果】
【００２１】
薪を燃やして焚き火をすることが可能であるとともに、容易に適温の温水も安定して生成することが可能な焚き火台を提案できる。また好ましくは、この焚き火台は二次燃焼により煙の生成を少なくする二次燃焼焚き火台であるものとし、また好ましくは、お湯を必要としない場合には通常の焚き火台として使用でき、必要な場合のみお湯生成ユニットを差替えセット可能な焚き火台を実現できる。
【図面の簡単な説明】
【００２２】
【図１】本考案にかかる焚き火台の構成概要を説明する斜視図である。
【図２】灰受けトレイと使用態様時の周囲の構成例を説明する図である。
【図３】（ａ）は本考案にかかる灰受けトレイの平面図概要を示すものであり、（ｂ）本考案にかかる灰受けトレイの側面図概要を示すものである。
【図４】灰受けトレイ上の配管の配置態様のバリエーション例を説明する平面図である。
【図５】トレイを外した焚き火台の外観斜視図を説明する写真図面である。
【図６】上かぶせ部を装着した焚き火台の側面図を説明する写真図面である。
【図７】上かぶせ部を装着した焚き火台の正面図を説明する写真図面である。
【図８】灰受けトレイの斜め上方からの外観を説明する写真図面である。
【図９】灰受けトレイの斜め上方からの外観を説明する写真図面である。
【図１０】本体に灰受けトレイを完全に装着した状態の上から観察した写真図面である。
【図１１】本体から灰受けトレイを引き出し中の状態を説明する写真図面である。
【図１２】本体から灰受けトレイを引き出し中の状態を説明する写真図面である。
【考案を実施するための形態】
【００２３】
本考案は、キャンプや種々のアウトドア等で用いることができ、好ましくは持ち運び可能な焚き火台であって、その灰受けトレイを温水生成可能な灰受けトレイに差替え交換することで、温水を生成することを可能とするものである。以下図面に基づいて説明する。
【００２４】
図１は、本考案にかかる焚き火台１０００の構成概要を説明する斜視図である。図１において焚き火台１０００は、その内部で薪等を燃焼させて暖をとったり焚き火を楽しんだりすることができるものであり、出先のアウトドア等において安全に焚き火を遂行できるように構成されている。
【００２５】
図１に示すように焚き火台１０００は、灰受けトレイ１２００を脱着可能に構成されており、溜まった灰を取り出したり清掃したりできるようになっている。灰受けトレイ１２００は、その上面に通水可能な配管１１００が複数の曲げ部分を有するＳ字状に配置されている。なお、図１においては説明の便宜上、灰受けトレイ１２００を取り出した状態として示しているが、使用時においては装着実装した状態で利用するものである。
【００２６】
配管１１００への通水は、ホースからバルブ１３００を介して導入口１７００へと導水され、導出口１８００から吐出口１４００を介して外部へと温水が吐出される。バルブ１３００は耐熱ボールバルブ（ＳＵＳ１／４）とすることができ、そのハンドルレバー１３１０を調整することでバルブ開度を調整して通水量を任意に調整することが可能である。ハンドルレバー１３１０には革カバーを装着しておいても良い。
【００２７】
また、焚き火台１０００には上かぶせ部１９００を備えていても良い。上かぶせ部１９００を備えることにより、内部に残留した汚れや灰等が持ち運び・保管時等に散乱することを防止できるとともに、ヤカンや鍋を上部に搭載する場合や焚き火を速やかに安全に消火したい場合等にも装着する等して利用できる。
【００２８】
図１に示す焚き火台１０００は、好ましい態様として二次燃焼による煙低減機能等を備えるものを示している。このため、焚き火台１０００の側壁は空気が通過可能な二重側壁１５００となっており、下方外側面の空気取り入れ孔１６００（２）から取り込まれた新鮮な空気が、上方内側面の空気放出孔１６００（１）から煙に対して供給されることにより、煙が二次燃焼されて煙が消滅する。そしてより重要な事は、このような煙の二次燃焼によって生成された赤外線が、灰受けトレイ１２００上の配管１１００へも一定程度直接または間接に供給されるので、配管内の水の加温効率が向上するものとなる。空気取り入れ孔１６００（２）と空気放出孔１６００（１）は、同一の二重側壁の下外側面と上内側面に設けることができるし、対向する一対の側壁にそれぞれ設けることもできる。
【００２９】
なお、焚き火台１０００の本体（典型的には二重側壁１５００）や上かぶせ部１９００はＳＵＳ４３０で構成することが好ましい。ＳＵＳ４３０は熱による歪が少なく磁石にもくっつく特性を有する。本体は、縦１００ｍｍ×横３８５ｍｍ×高さ２００ｍｍの大きさであってもよい。
【００３０】
図２は、灰受けトレイ１２００と使用態様時の周囲の構成例を説明する図である。バルブ１３００を介した配管１１００への水の供給は、図２に示すように例えば水タンクからホース及び複数のジョイントを介して通水するものとしても良い。ハンドルレバー１３１０を適宜に開度調整してやれば、サイホンの原理によって吐出口１４００から温水が吐出されるものとできる。この場合に、水タンクは、灰受けトレイ１２００よりも高い位置に配置することが好ましく、さらには吐出口１４００の最も高い位置よりも高い位置にタンク内水面が配置されるようにしておくと良い。
【００３１】
図に示す灰受けトレイ１２００は、配管１１００とバルブ１３００（及びハンドルレバー１３１０）と吐出口１４００を、従来の灰受けトレイに付加的に追加実装したものであってトレイ本体それ自体の外形や寸法は何ら変らないので、焚き火台１０００の本体に装着して使用することが可能であるし、温水生成機能を有さない単なる従来のトレイに差替え戻すことも自在任意である。
【００３２】
また、図３（ａ）は本考案にかかる灰受けトレイ１２００の平面図概要を示すものであり、図３（ｂ）本考案にかかる灰受けトレイ１２００の側面図概要を示すものである。図３（ａ）から理解できるように、配管１１００が灰受けトレイ１２００上面全体に亘って平面態様にＳ字状に複数回曲げられて往復するように配置されている。これにより、配管の長さが稼げて熱を吸収する機能が向上し、適温の温水を得ることが可能となる。灰受けトレイ１２００の大きさは例えば長さ３８０ｍｍ×奥幅７０ｍｍ（手前幅１５０ｍｍ）×高さ（吐出口１４００の最大高さ）１８５ｍｍとしても良い。灰受けトレイ１２００の奥側高さは１５ｍｍであっても良い。なお、上述の説明において奥側とは図３において紙面左側（吐出口１４００が位置しない長手方向の対向側）であり、手前側とは図３において紙面右側（吐出口１４００が位置する側）であるものとする。
【００３３】
なお、焚き火台１０００は、耐熱ボールバルブ（ＳＵＳ１／４）で水の流量を調整することで、吐出される温水の温度・量も任意調整が可能であり、当該バルブより上流側は熱くなることはない。また、配管１１００が銅管であれば経時腐食して時間が経つと破裂するが、ＳＵＳ３０４を使用することでこのような懸念も低減できる。
【００３４】
また、焚き火台１０００においては、火力の強すぎる壁面（横面）や火の上部面で配管配置して水を沸かすと、炎の発生程度によって、極めて大きな影響を受けて、温水の温度が激しく変動する。しかし、灰受けトレイ上に配管を配置して、主として落下してきた灰を利用して加温することで、安定した加温が可能となり、一定温度の温水を連続して吐出することも可能となる。また、炎の勢いが消えてしまった後においても、灰受けトレイに落ちた灰の中はむしろ高温に安定的に維持されており、ある程度は灰が保温材のようにも機能するので、その後もかなり長時間に亘って温水を安定生成し続けることが可能である。
【００３５】
従来のように炎の上方でヤカン等を配置して加温する場合には、炎の勢いが大きい間は非常に大きな火力で加熱できる一方で、炎の勢いが消滅した後には加温能力が著しく極端に低下することとなる。炎の勢いが消滅した後には灰受けトレイに落ちた灰の残り火から赤外線がヤカンに照射されてある程度の加温が期待できる場合もあるが、通常、灰（又は残り火）とヤカンとの間隔／距離が大きくなってしまい互いに離間しているので、ヤカンに届く赤外線や熱量は著しく少なくなるものであり、炎が直接接している場合との差異が極めて大きい。
【００３６】
そのような場合においても、本考案においては、灰受けトレイ上に配管を配置して落下してきた灰を利用して加温しているので、灰と配管との距離が安定的に近接しており僅かな残り火の残存する灰からでも効果的かつ効率的に熱量を受け取り、温水を生成することができる。灰は薪等の燃焼の進行とともに必ず一定量が落下してくるものであり、かつ落下してきた灰は、通常は炎を殆ど伴わないで残り火がくすぶっているような状態である。このため、灰受けトレイ上の配管は、炎に直接あぶられることは実質的にはなく、灰の残り火・灰が有する熱等によってかつ灰に保持されて守られながら長時間に亘って安定した温度の温水を生成し続けることが可能となる。
【００３７】
さらには、焚き火台での炎が著しく大きな場合などにおいても、炎は通常は上方に向かって伸びるものであるから、焚き火台の底面に位置する灰受けトレイ上に対して、過剰な炎が長時間直接晒されるような場面は殆ど想定されず仮に生じても短時間であって極めて少ないので、その結果としてトレイ上に落ちた灰中の温度も安定しており温水の生成も激しく温度変動することなく安定して行われるものとなる。配管周囲の灰が、直接の炎の照射や炎の大きさ・向きの変動等から配管を一定程度保護し、これにより配管及び温水の極端な温度変動を防止していると考えることもできる。典型的には、５０℃の温水を安定的に吐出することが可能な焚き火台となる。
【００３８】
図４は、灰受けトレイ１２００上の配管１１００の配置態様のバリエーション例を説明する平面図である。図４においては、上方から配管１１００を観察した図としているため、水平面内でＳ字状に曲げられている様子が観察できる。図４から理解できるように、大きな波と小さな波とを交互に配置する構成とすることで、灰受けトレイ１２００の全体からまんべんなく、配管が熱を吸収することが可能となる。図４（ａ）においては１〜６が大きな波で７〜１１が小さな波を示しており、図４（ｂ）においては１〜６が小さな波で７〜１１が大きな波を示している。
【００３９】
本考案の焚き火台は、適温の温水生成が可能に構成されており、灰受けトレイの上面に配置された通水用の配管と、配管へ連接されて配管への通水量を調整するために、外部に露出して配置されたバルブと、配管で加温されたお湯を外部へ吐出するための吐出口とを、備え、バルブは配管の上流側に配置されることを特徴とする。
【００４０】
これにより、灰受けトレイに落ちてきた灰の熱や焚き火の炎からの赤外線を受けて配管内の水が適度に加温されるものとなり、バルブを適宜調整することで吐出口から温水を任意量だけ吐出させることができる焚き火台とできる。灰受けトレイ上の配管が、焚き火の炎に直接に触れることがないので、配管の腐食や劣化の進行が低減されて耐久性が向上するとともに、炎の勢いの変動に起因する加熱程度すなわち温水温度の変動を抑えることが可能となる。
【００４１】
焚き火の燃料としてくべた木材が盛んに燃えている時間帯では比較的大きな炎が出現するので炎の直上では極めて大きな熱が放出されている。一方、木材が次第に灰になってきて炎の勢いが弱まってくると炎は小さくなってその直上においても放出される熱は比較的小さくなる。このような炎の勢いの程度に起因する加熱作用の大小は、仮に配管が炎の直上や焚き火台の側面（すなわち炎の側面）に配置された場合には、極めて大きな影響を受けて差が激しくなる。配管が炎に接した状態であれば、当該炎の勢いの程度がそのまま直接に配管内の水の加熱程度に影響する。
【００４２】
本考案においては、灰受けトレイの中であってその上面に配管を、好ましくはＳ字状に曲線部を複数有して往復するように配置することにより、炎の直接に配管が接することなく、焚き火の進行に応じて配管が灰に覆われてこれにより一定程度の保温・維持状態となって、安定した加温機能が得られるものとなる。配管が炎に直接触れないだけではなく、灰が一定程度蓄積されると、配管を覆う灰が緩衝材となるので炎の大小や勢いが間接的に配管に伝達されるものとなり、さらなるマイルドで安定した加温作用を得ることができるものとなるので好ましい。なお、図示していないがバルブのハンドルには、手を熱から保護するための革カバー等を装着しておくことが好ましい。
【００４３】
また、本考案の焚き火台は好ましくは、灰受けトレイが配管とバルブと吐出口とを一体不可分に備えるものであり、灰受けトレイは、配管とバルブと吐出口とを備えない灰受けトレイと任意に交換差替え可能に構成されることを特徴とする。
【００４４】
これにより、温水を生成する必要が無い場合には、灰受けトレイを配管等が配置されていない従来の通常の灰受けトレイに差し替えることにより、従来の通常の焚き火台として使用することができるものである。換言すると、本考案にかかる灰受けトレイは、従来使用されている通常の灰受けトレイと差替え交換可能に互換性を有して構成されることが好ましい。
【００４５】
焚き火台における灰受けトレイは、灰の清掃・洗浄・乾燥やメンテナンスの観点から、通常は焚き火台から引き抜いたり取り外し可能に構成されている。従って、このような灰受けトレイを用いて、トレイそれ自体の形状や大きさはそのままで配管とバルブと吐出口とを追加的に実装することにより、本考案にかかる灰受けトレイを構成することができる。これにより、保管時や運搬時においては、配管等を備えない従来の灰受けトレイを装着しておくこととできるので、計量でコンパクトとなり保管や運搬が容易となる。温水生成が必要な焚き火現場や使用時においてのみ、本考案の灰受けトレイを装着することもできる。
【００４６】
また、本考案の焚き火台はさらに好ましくは、焚き火台は二次燃焼により煙を低減させるように、二重側壁間の内部空間を下方から上方へと空気を流して、上方において内部空間で温められた空気を煙側へと供給するための少なくとも上下一対の空気口を側壁に備えることを特徴とする。
【００４７】
これにより、煙が燃焼される二次燃焼となるので最終的に放出される煙の量を大幅に低減できるものとなる。また、煙が二次燃焼する場合の発生熱が赤外線として配管にもやわらかに届くため、温水の生成効率が向上するものとなるので好ましい。焚き火台の側壁を二重構造として、二重側壁の内部を新鮮な空気が下から上へと通過して上方で煙側に放出されるように、側壁の上下にそれぞれ空気孔を設けることが好ましい。さらに好ましくは、下側の空気取り入れ孔は二重側壁の外壁の外側に設け、上側の空気放出孔は二重側壁の内壁の内側に設ける構成が考えられる。
【００４８】
また、本考案の焚き火台はさらに好ましくは、通水用の配管が、灰受けトレイの上面かつ焚き火台の内部空間の底面に配置されることを特徴とする。
【００４９】
これにより、配管の位置は焚き火による灰を受けて灰が蓄積される箇所であって、炎や煙が発生する内部空間の底面に位置するものとなるので、落下してくる灰の熱を効果的に吸収できるとともに、炎や煙への暴露が低減されるので劣化を防止して耐久性を向上させるとともに、炎や煙に直接接することに起因する激しい温度変動を避けて、安定して一定の温水を生成することが可能となる。バルブで通水水量を調整してやれば、高温から低温まで任意の温水を得ることができるものではあるが、そもそもの配管内での温水生成の安定性に関しては本考案により相当程度向上するものとできる。配管部分における加温特性を向上できるものである。
【００５０】
また、本考案の焚き火台はさらに好ましくは、配管が、灰受けトレイの上面において上面に平行な面内で連続したＳ字状に曲げられて、少なくとも１１個の曲線部を備えることを特徴とする。
【００５１】
Ｓ字状にくねくねと曲げて灰受けトレイ上を複数回往復するように配管配置することで、トレイ上での灰の温度を効率的に吸収することが可能となる。このような場合において、本考案者は少なくとも１１個以上の曲げ箇所を生成するようにＳ字状に曲げて往復させて配管配置することが好ましいことは見出した。これにより、トレイ上に位置する配管の長さが長くなる（例えば、ＳＵＳ３０４，６ｍｍφ，１ｍｍ厚，２２００ｍｍ長さの配管とできる）ので、熱収集の効率がアップする。なお、ＳＵＳ３０４は腐食には強いが熱歪には弱いため、溶接して歪止めも兼ねてトレイへ固定止めする構成としても良い。
【００５２】
また、本考案の焚き火台はさらに好ましくは、バルブが耐熱ボールバルブであり、そのハンドル部分には革カバーが装着されることを特徴とする。これにより、バルブの調整時にやけど等を防止して安全に手を保護した操作が可能となる。また、配管から伝達される熱等によってバルブが万一高温化した場合でも、耐熱ボールバルブを使用することで破損や損傷を防止できる。さらに水がホース内に導通されている場合は、ハンドル部分よりホース側（すなわち上流側）が熱くなることはない。耐熱ボールバルブを“閉”状態とすれば、そのバルブ位置で確実に水を遮断して配管内の熱水が上流側へ逆流することを高い信頼性で抑止できる。
【００５３】
また、本考案の焚き火台はさらに好ましくは、配管が、焚き火台の炎に直接に接しない焚き火台の内部空間に位置することを特徴とする。本考案の大きな特徴の一つであり、配管が炎に直接接したり近接しすぎることを回避しつつ、充分な加熱作用を確保できる配管位置が、灰受けトレイの上面ということになる。
【００５４】
また、本考案の焚き火台はさらに好ましくは、バルブから配管への水の導入口と、配管から前記吐出口への水の導出口と、は共に、灰受けトレイを焚き火台へ脱着する場合の手前側に配置されることを特徴とする。これにより、配管のチェック確認やジョイント部分の確認、セッティングの確認等の視認性も向上して種々の操作性が向上するものとなる。
【００５５】
また、配管１１００は写真図面にも示すように、大きな波と小さな波とが交互になるように構成することで、灰受けトレイ１２００全体の灰からまんべんなく熱を吸収することができるものとなるので好ましい。
【００５６】
上述で説明した焚き火台１０００や灰受けトレイ１２００は好ましい一態様を説明したものであり、図示する態様や説明で示した態様に限定されるものではない。公知技術または様々な技術常識や周知・慣用技術を勘案・加味して本考案の技術思想の範囲内で自在にアレンジして追加・削除したり変形・設計変更・調整することが可能である。
【符号の説明】
【００５７】
１０００・・焚き火台、１１００・・配管、１２００・・灰受けトレイ、１３００・・バルブ、１３１０・・ハンドルレバー、１４００・・吐出口、１５００・・二重側壁、１６００（１）・・空気放出孔、１６００（２）・・空気取り入れ口、１７００・・水の導入口、１８００・・水の導出口、１９００・・上かぶせ部。
【図１】
0003235511.tif 000003
【図２】
0003235511.tif 000004
【図３】
0003235511.tif 000005
【図４】
0003235511.tif 000006
【図５】
0003235511.tif 000007
【図６】
0003235511.tif 000008
【図７】
0003235511.tif 000009
【図８】
0003235511.tif 000010
【図９】
0003235511.tif 000011
【図１０】
0003235511.tif 000012
【図１１】
0003235511.tif 000013
【図１２】
0003235511.tif 000014